(57)【要約】【課題】従来の異常時の電流遮断装置では、異常検出器が異常を検出した場合で、例えば地震時における振動や異常な温度上昇を検知したときに初めて異常を遮断するようにしており、少なくとも異常状態を拡大させない動作であって、危険予知をするものでない。【解決手段】コンセントに差し込まれるコンセントプラグ１０００に装着したＩＣタグ１００１のデータを読取る読取装置１０１と、コンセントプラグが緩みＩＣタグのデータ読取りが一定期間に間欠（断続動作）となった場合に異常を検知する異常検知部１０２と、コンセントプラグの異常を通知する異常通報部１０４とを備える。【選択図】図１
2006139929.tif 000002
【特許請求の範囲】
【請求項１】
非接触の情報カードとなるＩＣタグやＩＣチップを設けたコンセントプラグを挿入する差込口のあるコンセントタップまたは埋込み型コンセントにおいて、コンセントに差し込まれるコンセントプラグに装着した前記情報カードのデータを読取る読取装置と、コンセントプラグが緩み前記情報カードのデータ読取りが一定期間に間欠（断続）動作となった場合に異常を検知する異常検知部と、前記異常を通知する異常通報部とを備えたコンセントタップまたは埋込み型コンセント。
【請求項２】
非接触の情報カードとなるＩＣタグやＩＣチップを設けたコンセントプラグを挿入する差込口のある個別入切スイッチ付きコンセントタップにおいて、コンセントのスイッチの入切状態を把握する状態把握部と、コンセントに差し込まれるコンセントプラグに装着した前記情報カードのデータを読取る読取装置と、コンセントプラグが緩み前記情報カードのデータ読取りが一定期間に間欠（断続）動作となった場合に異常を検出する異常検知部と、状態把握部の入切状態と異常検知部の異常状態とからコンセントプラグが異常であることを通知する異常通報部とを備えたコンセントタップまたは埋込み型コンセント。
【請求項３】
非接触の情報カードとなるＩＣタグやＩＣチップを設けたコンセントプラグを挿入する差込口のあるコンセントタップまたは埋込み型コンセントにおいて、コンセントに接続機器のコンセントプラグが挿入された際に流れる電流を検出する電流検出部と、コンセントに差し込まれるプラグに装着した前記情報カードのデータを読取る読取装置と、コンセントプラグが緩み前記情報カードのデータ読取りが一定期間に間欠（断続）動作となった場合に異常を検出する異常検知部と、電流検知部の値が一定電流値以上の状態と異常検知部の異常状態とからコンセントプラグが異常であることを通知する異常通報部とを備えたコンセントタップまたは埋込み型コンセント。
【請求項４】
非接触の情報カードとなるＩＣタグやＩＣチップを設けたコンセントプラグを挿入する１個以上の差込口のあるコンセントタップまたは埋込み型コンセントにおいて、コンセントに差し込まれるコンセントプラグに装着した前記情報カードのデータを読取る読取装置と、前記読取装置で読取られた接続機器の定格容量の合算値を算出する容量把握部と、コンセントタップまたは埋込み型コンセントの最大定格容量と容量把握部の値とを比較する比較部と、容量把握部の値が最大定格容量を超えていた場合に警報を通知する警報通知部とを備えたコンセントタップまたは埋込み型コンセント。
【請求項５】
非接触の情報カードとなるＩＣタグやＩＣチップを設けたコンセントプラグを挿入する１個以上の差込口のある個別入切スイッチ付きコンセントタップにおいて、コンセントのスイッチの入切状態を把握する状態把握部と、コンセントに差し込まれるコンセントプラグに装着した前記情報カードのデータを読取る読取装置と、前記読取装置で読取られた接続機器のうち前記状態把握部で入状態を把握している接続機器のみの定格容量の合算値を算出する稼動機器容量算出部と、コンセントタップまたは埋込み型コンセントの最大定格容量と稼動機器容量算出部の値とを比較する比較部と、稼動機器容量算出部の値が最大定格容量を超えていた場合に警報を通知する警報通知部とを備えたコンセントタップまたは埋込み型コンセント。
【請求項６】
前記異常通報部または警報通知部は、設置されている警報装置または予め指定している電話番号に電話通知またはインターネット網を介して通知またはメールで指定アドレスへ通報する通報装置とした請求項１から５記載のいずれか１項に記載のコンセントタップまたは埋込み型コンセント。
【請求項７】
前記コンセントタップまたは埋込み型コンセントの読取装置のみ差込口数だけ配置し、切替え部を備え、以下にある異常検知部と異常通報部と状態把握部と電流検出部と容量把握部と比較部と稼動機器容量算出部と警報通知部は各々ひとつで構成するようにしたことを特徴とする請求項１から３記載のいずれか１項に記載のコンセントタップまたは埋込み型コンセント。
【発明の詳細な説明】
【技術分野】
【０００１】
本発明は、非接触ＩＣタグやＩＣチップを用いてコンセントタップや埋め込み型コンセントに接続されるコンセントプラグの緩み防止や定格容量超過を防止するコンセントタップまたは埋込み型コンセントに関する。
【背景技術】
【０００２】
従来のコンセントタップまたは埋込み型コンセントとして、図５で示すような異常時の電流遮断装置があった（例えば特許文献１、特許文献２参照）。
【０００３】
この特許文献１の例について図５を用いて説明する。図５において、低圧電源の母線１に通じるコンセントタップ２、コンセントプラグ４およびそれらを連結するための中間コンセントプラグ３が示されている。
【０００４】
母線１の始端には漏電ブレーカ１１が配設され、コンセントタップ２は分岐ブレーカ１２を経て屋内の適宜な場所に配設されている。このコンセントタップ２には、差込電極受け金具２１、２１と差込アース電極受け金具２２が設けられ、この差込アース電極受け金具２２はアースされている構成とする。
【０００５】
以下に、その動作について説明する。コンセントタップ２、コンセントプラグ４およびそれらを連結するための中間コンセントプラグ３がそれぞれ結合されて使用状態にあるとして、前記中間コンセントプラグ３に設けられた異常検出器３５が異常を検知すると、例えば地震のような異常な震動あるいは異常な温度上昇を検知すると、電気信号が地絡発生回路のスイッチ部３７に与えられ、このスイッチ部３７が作動してＯＮとなり、一方の給電電路とアース電路の間に微弱な地絡電流が流れる。このために生じた給電回路の不平衡を母線１始端に設けられた漏電ブレーカ１１が検知して回路全体の電流を遮断するのである。
【０００６】
これによって、従来から用いられている漏電ブレーカ１１を備えた給電回路において、通常に配置されている任意のコンセントタップ２に異常検出器３５等を備えた中間コンセントプラグ３を結合させることができるから、特別な取り付け工事などを要することなく希望する場所における異常、特に地震またはトラッキングによる発熱を検知し、前記漏電ブレーカを作動させ回路の電流を遮断して電気火災を未然に防止することが可能となるのである。
【０００７】
また、特許文献２の例について図６を用いて説明する。図６において、単数または複数の差し込みプラグ用のコンセント部１Ａと、前記各コンセント部１Ａの現使用中の合計電流値表示手段２Ａと、前記表示手段２Ａの予め設定された所定電流値において、その電流源を遮断するリミットスイッチ手段４Ａと、前記遮断と同時に、その警告音を発生する音響手段３Ａと、前記コンセント部１Ａの所定冷却時間後、前記リミットスイッチ手段４Ａを再度オン復帰させるためのリセット手段（図示せず）とから構成する。
【０００８】
これによって、コンセント部１Ａを介して作動する機器に流れる電流が常時ディジタル値で表示されるため、その値が所定の定格値に対してどれ位の余裕が存在するかを常時認識し得るため、その値により適切な処置判断が可能であり、定格電流を超過してリミットスイッチ４Ａがオフ作動することを回避する処置を講ずる余裕ができる。また、やむを得ずオフ作動に至った場合は、同時にブザーの吹嗚により、この異常の発生を知ることができるので、機を逸することなく適切な必要手段に移ることができる。
【特許文献１】特開平９−３２７１１９号公報
【特許文献２】特開２００１−１１８６４４号公報
【発明の開示】
【発明が解決しようとする課題】
【０００９】
しかしながら、上述した特許文献１の異常時の電流遮断装置では、異常検出器が異常を検出した場合で、例えば地震時における振動や異常な温度上昇を検知したときに初めて異常を遮断するようにしており、少なくとも異常状態を拡大させない動作であって、危険予知をするものでない。そのため家屋が古い場合には漏電ブレーカの塵埃等が起因する故障で動作しないなどがあり火災などの発生も皆無ではなかった。また、電流遮断時に当該の給電回路の漏電ブレーカを遮断するため、本来、その給電回路に併設されている電気機器においては遮断の必要が無いにもかかわらず、一時的に停電を発生させるというわずらわしい問題があった。
【００１０】
また、上述した特許文献２の安全型コンセントソケットでは、コンセントタップに接続された機器が動作中に所定の電流容量を超過した場合にリミットスイッチ手段で遮断するものであって、機器の使用状況において所定容量値を超過するという一旦異常状態が発生し、異常を拡大させない動作をおこなうもので危険予知、防止をおこなうものではない。また、表示手段により定格容量異常の電流が確認できるようになっているものの常に、コンセントタップが目に入る場所に設置されているとは限らず、危険予知の予防に必ずしも使用できるとはいい難い。また、特許文献１と同様に、異常状態を検知する検知部が故障や不動作というようなことが発生した場合には異常を拡大してしまうという問題があった。
【００１１】
本発明は、前記従来の課題を解決するもので、危険を予知し、安全操作や対策をおこなうことを啓蒙する予防措置をおこなえる。事前に動作時のコンセントプラグの緩みや差込不備による隙間防止をおこなうことができ、隙間等に埃が堆積し湿気等でトラッキングなどが発生しないように防止可能である。
【００１２】
また、差込時に定格以上の機器が使用され、コンセントタップの発熱やケーブルの発火発煙のようなことのないように危険予知する安全性の高いコンセントタップまたは埋込み型コンセントを提供することを目的とする。
【課題を解決するための手段】
【００１３】
上記課題を解決するために、本発明においては、非接触の情報カードとなるＩＣタグやＩＣチップを設けたコンセントプラグを挿入する差込口のあるコンセントタップまたは埋込み型コンセントにおいて、コンセントに差し込まれるコンセントプラグに装着した前記情報カードのデータを読取る読取装置と、コンセントプラグが緩み前記情報カードのデータ読取りが一定期間に間欠（断続動作となった場合に異常を検知する異常検知部と、前記異常を通知する異常通報部とを備える構成とした。
【００１４】
これによって、コンセントプラグの刃先の緩み、ガタやコンセント内の受け刃の緩みがあった場合やコンセントプラグの差込不足により接触不良があった場合に、データの読み取りが一定期間に間欠（断続）動作となるため、正常時の連続データ読取動作が間欠読取動作となり、コンセントプラグがコンセントタップに正常に挿入されていないことが容易に判断できる。従って、挿入の緩みや差込不足をその状態が発生した段階で発見できため、接触不良が発生してからの発熱や過電流発生後の検知より、早く検知が可能で危険予知や日常の安全対策に利用することが可能である。
【００１５】
ここで非接触の情報カードとなるＩＣタグやＩＣチップは、読取装置との通信が一定の空間距離以内であるため、その距離を越える状況になった場合、通信エラーの状態が発生する。従って通信可能な限界距離では通信が正常と異常を繰り返す現象が発生する。その現象を利用して予めコンセントプラグが緩んだり奥まで刺さっていないような距離の時に通信可能限界の距離として読取装置の感度を設定することで、データの読取りが一定期間に間欠（断続）動作となるようにすることができる。
【発明の効果】
【００１６】
以上で説明したように、本発明によれば、非接触カードとなるＩＣタグやＩＣチップの情報をコンセントタップまたは埋め込み型コンセントで読み込みすることで機器がコンセントに接続されていることを認識でき、その接続状態を保持しているか間欠（断続）状態になっているかで接続されているコンセントプラグが緩んでいるかどうかを容易に判断することができる。そのため、緩みによる接触不良から発熱、漏電が発生する前に緩んだ状態が発生しただけで危険予知をすることができる。
【発明を実施するための最良の形態】
【００１７】
第１の発明は、非接触の情報カードとなるＩＣタグやＩＣチップを設けたコンセントプラグを挿入する差込口のあるコンセントタップまたは埋込み型コンセントにおいて、コンセントに差し込まれるコンセントプラグに装着した前記情報カードのデータを読取る読取装置と、コンセントプラグが緩み前記情報カードのデータ読取りが一定期間に間欠（断続）動作となった場合に異常を検知する異常検知部と、前記異常を通知する異常通報部とを備えることにより、機器がコンセントに接続されていることを認識でき、その接続状態を保持しているか間欠（断続）状態になっているかで接続されているコンセントプラグが緩んでいるかどうかを容易に判断することができる。そのため、緩みによる接触不良から発熱、漏電が発生する前に緩んだ状態が発生しただけで危険予知をすることができる。
【００１８】
第２の発明は、非接触の情報カードとなるＩＣタグやＩＣチップを設けたコンセントプラグとコンセントプラグを挿入する差込口のある個別入切スイッチ付きコンセントタップにおいて、コンセントのスイッチの入切状態を把握する状態把握部と、コンセントに差し込まれるコンセントプラグに装着した情報カードのデータを読取る読取装置と、コンセントプラグが緩み、情報カードのデータ読取りが一定期間に間欠（断続）動作となった場合に異常を検出する異常検知部と、状態把握部の入状態と異常検知部の異常状態とからコンセントプラグが異常であることを通知する異常通報部とを備えることにより、個別入切スイッチの入り状態の機器のコンセントプラグのみ異常検知をおこなうこととなり、使用していない（個別入切スイッチの切り状態）機器のコンセントプラグの緩みについては誤検知しないようにでき、使用者が実際に機器に電気を供給している機器で危険の発生する可能性のある機器のみの緩みを発見することが可能である。
【００１９】
第３の発明は、非接触の情報カードとなるＩＣタグやＩＣチップを設けたコンセントプラグとコンセントプラグを挿入する差込口のあるコンセントタップまたは埋込み型コンセントにおいて、コンセントに接続機器のコンセントプラグが挿入された際に流れる電流を検出する電流検出部と、コンセントに差し込まれるプラグに装着した情報カードのデータを読取る読取装置と、コンセントプラグが緩み、情報カードのデータ読取りが一定期間に間欠（断続）動作となった場合に異常を検出する異常検知部と、電流検知部の値が一定電流値以上の状態と異常検知部の異常状態とからコンセントプラグが異常であることを通知する異常通報部とを備えることにより、機器本体側に入り切りスイッチがある場合に、実際に動作している（待機状態も含め）入り状態に流れる電流値を一定電流値以上として、その値以上を検知した場合に機器が入り状態であると判断することとなり、切り状態の機器による緩み等の誤検知を防止することができ、機器が入り状態のみのコンセントプラグの緩みや隙間という異常状態を検知することができる。
【００２０】
第４の発明は、非接触の情報カードとなるＩＣタグやＩＣチップを設けたコンセントプラグとコンセントプラグを挿入する１個以上の差込口のあるコンセントタップまたは埋込み型コンセントにおいて、コンセントに差し込まれるコンセントプラグに装着した情報カードのデータを読取る読取装置と、読取装置で読取られた接続機器の定格容量の合算値を算出する容量把握部と、コンセントタップまたは埋込み型コンセントの最大定格容量と容量把握部の値とを比較する比較部と、容量把握部の値が最大定格容量を超えていた場合に警報を通知する警報通知部とを備えることにより、１個以上の差込口のあるコンセントタップまたは埋込み型コンセントにコンセントプラグを挿入した場合に、挿入した機器の定格容量の合計がコンセントタップまたは埋込み型コンセントの最大定格容量を超えているかどうかで警報を発することができるため、機器使用前にコンセントプラグを挿入しただけで、危険予知が可能である。
【００２１】
第５の発明は、非接触の情報カードとなるＩＣタグやＩＣチップを設けたコンセントプラグとコンセントプラグを挿入する１個以上の差込口のある個別入切スイッチ付きコンセントタップにおいて、コンセントのスイッチの入切状態を把握する状態把握部と、コンセントに差し込まれるコンセントプラグに装着した情報カードのデータを読取る読取装置と、読取装置で読取られた接続機器の内、状態把握部で入状態を把握している接続機器のみの定格容量の合算値を算出する稼動機器容量算出部と、コンセントタップまたは埋込み型コンセントの最大定格容量と稼動機器容量算出部の値とを比較する比較部と、稼動機器容量算出部の値が最大定格容量を超えていた場合に警報を通知する警報通知部とを備えることにより、個別入切スイッチのスイッチが入り状態の機器の定格容量合計値がコンセントタップの最大定格容量を超過していないかどうか判断することができ、利用者の利便性を高め、使用時にスイッチを入り状態にした段階で、毎回最大定格容量を超えていないか確認し、安全性を確保することができる。
【００２２】
第６の発明は、特に第１〜５の発明のいずれか１つの発明のコンセントタップまたは埋込み型コンセントの異常通報部または警報通知部を設置されている警報装置または予め指定している電話番号に電話通知またはインターネット網を介して通知またはメールで指定アドレスへ通報する通報装置とすることにより、異常状態を検知した際に、警報通知部を設けることで、人が不在等で、設置場所から離れている場合でも、異常状態を通知することができ、適切な処置をおこなうことができる。また、警報通知部でコンセントタップのスイッチや分電盤のブレーカを切るようにしたり、ブザー等の警報を鳴らすことで周囲に異常を知らせ、安全措置をおこなうことが可能である。
【００２３】
第７の発明は、特に第１〜３の発明のいずれか１つの発明のコンセントタップまたは埋込み型コンセントの読取装置からの信号を切替え部で時分割で切替えながらデータを読むことで、以下の構成部が各々ひとつのみとすることができ、経済性、小型軽量化に優れた機器を提供することができる。
【００２４】
以下、本発明の実施の形態について、図面を参照しながら説明する。なお、この実施の形態によって本発明が限定されるものではない。
【００２５】
（実施の形態１）
図１および図２は本発明の実施の形態１のコンセントタップまたは埋込み型コンセントの構成図を示すものである。
【００２６】
図１はコンセントタップの構成を示すもので、図２はコンセントタップの外観図を示すものである。
【００２７】
図１において、１０５は１個以上の差込口を持つコンセントタップで、ＩＣタグ１００１のデータを読み取る読取装置１０１と、読取装置１０１で読取るＩＣタグ１００１の情報が間欠（断続）状態で検出した場合に異常として判断する異常検出部１０２と、コンセントタップ１０５の複数の差込口に各々設けられたスイッチ（図２の１００Ｓ）の入切状態を把握する状態把握部１０３と、状態把握部１０３の入切状態と異常検知部１０２の状態からコンセントタップ１０５に挿入されているコンセントプラグ１０００が緩む等の危険な状態にあることを警報音や通信による通知をおこなう異常通報部１０４とから構成される。１００はコンセントタップ１０５の差込口１の情報カード検出部で差込口数だけコンセントタップ１０５に内蔵している。１０６は状態把握部１０３の替わりに入切状態を流れる電流の値で判断するための電流検出部であり、１００Ｂは状態把握部１０３の替わり電流検出部１０６とした情報カード検出部である。
【００２８】
また、１０００はコンセントタップ１０５の差込口に接続する機器のコンセントプラグで、１００１はコンセントプラグ１０００に設けている情報カードとなるＩＣタグである。
【００２９】
図２において、Ｐ１はコンセントタップ１０５の電源を取り込むコンセントプラグで、１００Ｔはコンセントタップ１０５の差込口で、１０１はコンセント差込口１００Ｔ用の読取装置で、１００Ｓは差込口１００Ｔ用の入切スイッチである。
【００３０】
なおここでは、１個以上の差込口と差込口夫々に入切スイッチを持つコンセントタップの説明をおこなったが、同様な埋め込みコンセントタップであっても同じである。
【００３１】
次に、このような構成のコンセントタップまたは埋込み型コンセントの動作、作用について説明する。
【００３２】
図１に示すように、コンセントタップ１０５に家電機器などの電源を供給するために接続する家電機器のコンセントプラグ１０００をコンセントタップ１０５の差込口１００Ｔに接続する。その際、読取装置１０１にＩＣタグ１００１の情報が読取られ、どのような家電機器が接続されているか検出可能となる。なお、ＩＣタグ１００１の情報は、例えば、家電機器の種類でエアコン、照明、テレビというような情報や製造年月、製番、定格容量、品番などが書き込まれているが、実際には書込み装置を利用すれば、ＩＣタグ１００１に必要な情報を自由に書き込み可能であるため、システムや機器の機能に応じて利用できる。
【００３３】
次にコンセントタップ１０５のスイッチ１００Ｓを入りの状態にし、状態把握部１０３でスイッチ１００Ｓの入り状態を検出する。その入り状態を検出した条件において、読取装置１０１がＩＣタグ１００１のデータを常に読み取り可能で、欠損することは無いため、異常検知部１０２は検出しない。
【００３４】
その後、長期にコンセントタップにコンセントプラグ１０００を接続状態にし、ストレス等でコンセントプラグ１０００が緩んだ場合に、読取装置１０１でＩＣタグ１００１の情報を間欠（断続）または一定期間の間読めない状態が継続している場合に、異常検知部１０２で異常検出をおこなう。
【００３５】
さらに状態把握部１０３でスイッチ１００Ｓが入り状態を検出している条件において、異常検知部１０２の異常検知が検出された場合に、異常通報部１０４が警報音を通報する。
【００３６】
なお、異常通報部１０４が警報音を通報するとしたが、警報用の表示ランプやＬＥＤを点灯させたり、無線または有線の通信で異常を通知してもよい。
【００３７】
また、状態把握部１０３はスイッチの状態を検出することとしたが、これを電流検出部１０６とすることで当該の差込口に流れる電流を検出し一定値以上流れることで接続機器の電源が入切されたかどうかを判断することができる。
【００３８】
なお、状態把握部１０３やスイッチが無い場合であっても、読取装置１０１からの読取データが間欠（断続）かどうかで異常を検知することは当然可能である。
【００３９】
このようにすることで、全てのコンセントタップ１０５の差込口でおこなうことで各接続機器毎に接続状況の危険予知をおこなうことができる。
【００４０】
（実施の形態２）
さらに、本発明の実施の形態２を図３を用いて説明する。２０１は複数の読取装置１０１と状態把握部１０３からの入力を一定間隔で切替えながら異常検知部１０２へ入力する切替え部で、２０２は切替え部２０１を搭載した１個以上の差込口を搭載するコンセントタップである。また、その他の構成は実施の形態１と同じでなので説明は省略する。
【００４１】
次に、このような構成のコンセントタップまたは埋込み型コンセントの動作、作用について説明する。
【００４２】
コンセントタップ２０２の各差込口に設けた複数の読取装置１０１が読取ったＩＣタグ１０００のデータと状態把握部１０３で検知した各入切スイッチの状態とを切替え部２０１が一定時間毎に切替えて、スイッチが入り状態でかつ読取装置１０１からのデータが間欠（断続）になっていないかを異常検知部１０２で検知し、間欠（断続）状態になっている場合には、異常通報部１０４が警報音を鳴らし、居住者に知らせる。
【００４３】
なお、異常通報部１０４が警報音を通報するとしたが、警報用の表示ランプやＬＥＤを点灯させたり、無線または有線の通信で異常を通知してもよい。また、状態把握部１０３をここではスイッチの状態を検出することとしたが、スイッチの接点信号を入力する方法や当該の差込口に流れる電流を検出し一定値以上流れることで接続機器の電源が入切されたかどうかを判断するようにしてもよい。
【００４４】
このようにすることで、切替え部２０１が複数の状態把握部１０３からの状態を切替えて読取装置１０１のデータとともに異常検知部１０２に通知し異常の有無を判定し、異常通報部１０４で異常通知することで、異常検知部１０２および異常通報部１０４をコンセントタップ２０２内でひとつとすることができ、大幅なコストダウンや小型化が実現できる。
【００４５】
（実施の形態３）
さらに、本発明の実施の形態３を図４を用いて説明する。接続する機器のコンセントプラグ１０００に設けられたＩＣタグ１００１の情報には少なくとも当該の機器の定格容量が含まれるものとする。
【００４６】
３０１はコンセントタップ３０４に接続される機器のＩＣタグ１００１から読取装置１０１で読取ったデータから機器の定格容量を抽出し、複数の差込口に挿入された機器の定格容量を全て合計して把握する容量把握部である。３０５は容量把握部３０１に入力された機器の定格容量から状態把握部１０３で入り状態にある機器の定格容量のみを算出する稼動機器容量算出部で、３０２はコンセントタップ３０４の接続可能な最大定格容量で、３０３は最大定格容量３０２と稼動機器容量算出部３０５で確認した入り状態の接続された機器の定格容量の合計値とを比較判定する比較部で、比較部３０３で稼動機器容量算出部３０５の合計値が最大定格容量３０２を超えていた場合に警報を通知する警報通知部である。３０４は接続される機器の定格容量を把握し、使用時に最大定格容量を超過した場合に警報を発生させるコンセントタップである。また、その他の構成は実施の形態１と同じでなので説明は省略する。
【００４７】
次に、このような構成のコンセントタップまたは埋込み型コンセントの動作、作用について説明する。
【００４８】
各接続機器の定格容量を各ＩＣタグ１００１から読取装置１０１で読取り、さらに状態把握部１０３で各差込口の入切スイッチの状態を把握する。容量把握部３０１では、差込口に接続された機器の読取装置１０１から読取られたデータに含まれる各機器の定格容量のみを合計する。さらに稼動機器容量算出部３０５では、状態把握部１０３でスイッチが入り状態である機器の定格容量のみを容量把握部３０１から抽出し入り状態である稼動機器の定格容量を把握することができる。
【００４９】
次に、稼動機器容量算出部３０５で把握した実際にスイッチが入りの使用状態である機器の定格容量合計値とコンセントタップ３０４の接続可能な最大定格容量３０２とを比較部３０３で比較をおこない、最大定格容量３０２の値を超えている場合には、警報通知部１０４Ｂが警報音を鳴らす。
【００５０】
なお、異常通報部１０４が警報音を通報するとしたが、警報用の表示ランプやＬＥＤを点灯させたり、無線または有線の通信で異常を通知してもよい。また、状態把握部１０３をここではスイッチの状態を検出することとしたが、スイッチの接点信号を入力する方法や当該の差込口に流れる電流を検出し一定値以上流れることで接続機器の電源が入切されたかどうかを判断するようにしてもよい。
【００５１】
このようにすることで、コンセントタップに接続された機器の内、実際にスイッチが入りになり電源が機器に供給されている場合に、その機器の定格容量がコンセントタップの最大定格容量を超過していないかどうかを判定し、機器が動作し始める前に警報を通知し、危険予知をおこなうことができる。
【００５２】
また、稼働機器容量算出部３０５をバイパスして容量把握部３０１から比較部３０３へ入力してもよい。この場合は、挿入した機器の定格容量の合計がコンセントタップまたは埋込み型コンセントの最大定格容量を超えているかどうかで警報を発することができるため、機器使用前にコンセントプラグを挿入しただけで、危険予知が可能である。
【００５３】
以上のように説明したコンセントタップは壁や床などの埋込み型コンセントであってもよい。
【産業上の利用可能性】
【００５４】
以上のように、本発明は、コンセントタップに差し込まれたコンセントプラグの緩みや差込不良または定格容量を超えた使用を早期に発見し、危険予知をおこない、通知することができる。これは宅内のコンセントタップや埋込み型コンセント以外にビル、工場のような産業用途の電源コンセント等の用途にも適用できる。
【図面の簡単な説明】
【００５５】
【図１】本発明の実施の形態１のコンセントタップの構成図
【図２】本発明の実施の形態１のコンセントタップの外観図
【図３】本発明の実施の形態２のコンセントタップの構成図
【図４】本発明の実施の形態３のコンセントタップの構成図
【図５】従来の実施例における構成図
【図６】従来の実施例における外観図
【符号の説明】
【００５６】
１０５、２０２、３０４  コンセントタップ
１００、１００Ｂ  情報カード検出部
１００Ｔ  差込口
１００Ｓ  個別スイッチ
１０１  読取装置
１０２  異常検知部
１０３  状態把握部
１０４  異常通報部
１０４Ｂ  警報通報部
１０６  電流検出部
２０１  切替え部
３０１  容量把握部
３０２  最大定格容量
３０３  比較部
３０５  稼動機器容量算出部
１０００  コンセントプラグ
１００１  ＩＣタグ
【図１】
2006139929.tif 000003
【図２】
2006139929.tif 000004
【図３】
2006139929.tif 000005
【図４】
2006139929.tif 000006
【図５】
2006139929.tif 000007
【図６】
2006139929.tif 000008